(57)【特許請求の範囲】
【請求項１】
建築構造物の基礎の上に立設され、該建築構造物の壁を形成する壁形成ユニットであって、
断熱材が内装された断熱パネルと、
前記断熱パネルと平行に該断熱パネルの一方の面側に固定された外装パネルと、
前記断熱パネルと平行に該断熱パネルの他方の面側に固定された内装パネルと、
前記外装パネル及び前記断熱パネルによって形成される中空部から構成され、下端開口部及び上端開口部を有し、前記基礎の上に立設された時に、前記建築構造物の外の空気が、該下端開口部から入り、前記断熱パネルの前記一方の面に沿って上昇し該上端開口部から上へ通り抜け、該建築構造物の外へ排出されるように構成された第一通気経路と、
前記基礎の上に立設された時に、前記建築構造物の床下の空気が、前記内装パネルと該基礎との間の隙間から入るとともに前記断熱パネルと該基礎との間は通らず、前記断熱パネルの前記他方の面に沿って下から上へ通り抜け、該建築構造物の屋内へ流れるように構成された第二通気経路と、
を備え、
前記断熱パネル及び前記内装パネルの中の少なくとも一方は、前記基礎の上に締結具によって固定する固定用横木を、下端付近に備えた壁形成ユニット。
【請求項２】
前記外装パネルの屋外側の面の中央部付近に、屋内側へ凹む凹部を備え、
前記凹部の底面に窓を備え、
前記窓の窓枠は前記中空部内へ突出し、該窓枠の周囲は中空部である
請求項１に記載する壁形成ユニット。
【請求項３】
前記内装パネルは、少なくとも上下移動可能な保持具によって保持する保持用横木を備え、該保持用横木の下端面は、前記断熱パネルの上端面よりも上へ突出し、
前記保持用横木の下に隙間が形成された
請求項１又は２に記載する壁形成ユニット。
【請求項４】
請求項１〜３のいずれかに記載する壁形成ユニットを含む建築構造物。
【請求項５】
通気孔を備えた屋根を含み、
前記第一通気経路内を上昇した前記空気が、前記屋根の裏へ抜け、該屋根の裏を流れて、前記通気孔から排出されるように構成された請求項４に記載する建築構造物。
【発明の詳細な説明】
【技術分野】
【０００１】
本発明は、建築構造物の基礎の上に立設されることにより壁を形成する壁形成ユニット及び壁形成ユニットを含む建築構造物に関する。
【背景技術】
【０００２】
従来から、建築構造物の室内の温度調整が行われている。また、この温度調整を行うための断熱材を有する断熱壁についての出願が行われている（例えば、特許文献１又は２参照。）。
【０００３】
断熱壁の施工は、通常、建築構造物の建築現場において、外装パネルを立設した後に、外装パネルの屋内側に断熱材の原材料を吹き付けることによって断熱材を設け、断熱材を内装プレートで覆うことによって行われる。
【０００４】
しかし、屋外である建築現場で断熱材の原材料を吹き付ける作業は、天気、外気温又は湿度に影響を受ける。例えば、雨天の場合には、断熱材の原材料を吹き付ける作業を中止する必要が生じる。このため、建築現場において迅速な作業ができず、建築現場における作業コストが嵩むこととなっていた。
【先行技術文献】
【特許文献】
【０００５】
【特許文献１】特開２０１１−６９１５号公報
【特許文献２】特開２０１２−２５１３４０号公報
【発明の概要】
【発明が解決しようとする課題】
【０００６】
本発明は、建築現場における施工作業を迅速に行うことができ、建築現場における作業コストを低減できる壁形成ユニット及び壁形成ユニットを含む建築構造物を提供することを目的とする。
【課題を解決するための手段】
【０００７】
本発明の壁形成ユニットは、建築構造物の基礎の上に立設され、該建築構造物の壁を形成する壁形成ユニットであって、
断熱材が内装された断熱パネルと、前記断熱パネルと平行に該断熱パネルの一方の面側に固定された外装パネルと、前記断熱パネルと平行に該断熱パネルの他方の面側に固定された内装パネルと、前記基礎の上に立設された時に、空気が前記断熱パネルの一方の面に沿って下から上へ通り抜け可能な第一通気経路と、前記基礎の上に立設された時に、空気が前記断熱パネルの他方の面に沿って下から上へ通り抜け可能な第二通気経路と、を備え、
前記断熱パネル及び前記内装パネルの中の少なくとも一方は、前記基礎の上に締結具によって固定する固定用横木を、下端付近に備えたことを特徴とする。
また、前記壁形成ユニットにおいて、
前記外装パネル及び前記断熱パネルによって形成される中空部から構成され、下端開口部及び上端開口部を有し、前記基礎の上に立設された時に、前記建築構造物の外の空気が、該下端開口部から入り、前記断熱パネルの前記一方の面に沿って上昇し該上端開口部から上へ通り抜け、該建築構造物の外へ排出されるように構成された第一通気経路と、
前記基礎の上に立設された時に、前記建築構造物の床下の空気が、前記内装パネルと該基礎との間の隙間から入るとともに前記断熱パネルと該基礎との間は通らず、前記断熱パネルの前記他方の面に沿って下から上へ通り抜け、該建築構造物の屋内へ流れるように構成された第二通気経路と、を備えたことを特徴とする。
【０００８】
本願明細書及び本願特許請求の範囲において、建築構造物とは、本発明の壁形成ユニットを含む建物又は建物の一部を言う。また、本願明細書及び本願特許請求の範囲において、締結具とは、ボルトとナット、又は、Ｌ字金具と釘等を言う。
【０００９】
また、本発明の壁形成ユニットは、前記壁形成ユニットにおいて、前記断熱パネル及び前記内装パネルの中の少なくとも一方は、少なくとも上下移動可能な保持具によって保持する保持用横木を、上端付近に備えたことを特徴とする。
【００１０】
本願明細書及び本願特許請求の範囲において、保持具とは、保持用横木を挟持しクレーンによって持ち上げるチャック、又は、保持用横木に螺入して固定しクレーンによって持ち上げる螺子等を言う。
【００１１】
また、本発明の壁形成ユニットは、前記壁形成ユニットにおいて、前記内装パネルは、少なくとも上下移動可能な保持具によって保持する保持用横木を備え、該保持用横木の下端面は、前記断熱パネルの上端面よりも上へ突出することを特徴とする。
【００１２】
また、本発明の壁形成ユニットは、前記壁形成ユニットにおいて、前記外装パネルの屋外側の面の中央部付近に凹部を備えたことを特徴とする。
【００１３】
また、本発明の壁形成ユニットは、前記壁形成ユニットにおいて、前記凹部の底面に窓を備え、前記外装パネルと前記断熱パネルとによって中空部が構成され、該中空部が前記第二通気経路を構成することを特徴とする。
【００１４】
また、本発明の建築構造物は、前記壁形成ユニットを含むことを特徴とする。
【発明の効果】
【００１５】
本発明の壁形成ユニットは、工場において製造し、建築現場まで運搬する。建築現場に既に形成されている基礎は、植込みボルト等が所定間隔で立設されており、その植込みボルト等に壁形成ユニットの固定用横木をナット等で固定することにより、基礎の上に立設することができる。これにより、建築構造物の断熱壁を備えた壁を形成することができる。このため、建築現場において断熱材の原材料を吹き付ける等の作業を行うことなく、断熱材を備えた断熱壁（壁）を形成できる。これにより、建築現場における施工作業を迅速に行うことができ、建築現場における作業コストを低減できる。
【００１６】
また、本発明の壁形成ユニットを基礎の上に立設することにより、断熱パネルの一方の面に第一通気経路を有し、断熱パネルの他方の面に第二通気経路を有する断熱壁を容易且つ迅速に形成できる。
【００１７】
断熱パネル及び内装パネルの中の少なくとも一方が、少なくとも上下移動可能な保持具によって保持する保持用横木を、上端付近に備えた本発明の壁形成ユニットによれば、保持用横木に工具等を固定し工具をクレーンで持ち上げること等によって、トラックに積み込み又はトラックから積み下ろすことができる。このため、工場から建築現場へ運搬するのが容易である。
【００１８】
内装パネルの保持用横木の下端面が断熱パネルの上端面よりも上へ突出する本発明の壁形成ユニットによれば、内装パネルの保持用横木の下端面と断熱パネルの上端面との間に形成される隙間にチャックの先端を挿入して内装パネルの保持用横木を挟持することができる。このため、チャックが連結されたクレーンで容易に持ち上げることができる。
【００１９】
本発明の壁形成ユニットを含む建築構造物は、断熱パネルにより、屋外と屋内との間での断熱効果が生じる。さらに、第一通気経路を備え、断熱パネルの一方の面に沿って空気が下から上へ通り抜け可能であるため、屋外の風が第一通気経路に入り上へ通り抜け屋根等から屋外へ排出するように建築構造物を構成することができる。このため、夏場は、屋外から屋内へ伝わろうとする熱を第一通気経路内の空気が吸収して屋外へ排出することができる。また、冬場は、屋内を冷やそうとする第一通気経路内の冷気を屋外へ排出することができる。これにより、屋外と屋内との間での断熱効果をより高めることができる。さらに、第二通気経路を備え、断熱パネルの他方の面に沿って空気が下から上へ通り抜け可能であるため、地中に、床下と略一定温度の地中との間で放熱又は吸熱を行う熱伝達器具を設け、床下等に空気循環器を設け、熱伝達器具により略一定温度である床下の空気が、第二通気経路に入り、第二通気経路から上へ通り抜け、建築構造物の天井等から屋内へ入るように建築構造物を構成することができる。このため、屋内で略一定温度の空気を循環させ、エアコンや暖房器具の効率を高めることができる。
【００２０】
外装パネルの屋外側の面の中央部付近に凹部を備えた本発明の壁形成ユニットを含む建築構造物によれば、基礎の上に立設して、屋外から見て凹んだ窓を有する建築構造物を形成することができる。凹部に花を植えた鉢や装飾物を置くことができる。
【００２１】
外装パネルの屋外側の面の中央部付近に凹部を備え、外装パネルと断熱パネルとによって中空部が構成され、中空部が第二通気経路を構成する本発明の壁形成ユニットを含む建築構造物によれば、凹部の底面に窓を備えることにより、窓の周囲の窓枠は第一通気経路内に突出する。第一通気経路内で下から上へ通る空気が、窓枠の周囲に接触しながら通過する。このため、夏場において、金属から構成され加熱されやすい窓枠に直射日光が当たっても、窓枠から第一通気経路内の空気に熱が伝達され、その空気は上へ通り抜ける。これにより、窓枠又は窓枠近辺の温度上昇を防止できる。従来、夏場は、窓枠が手触れない程に熱いことがしばしばあったが、窓枠が熱くなるのを防止できる。
【図面の簡単な説明】
【００２２】
【図１】本発明に係る壁形成ユニットを示す図であり、同図（ａ）は平面図であり、同図（ｂ）は斜視図である。
【図２】図１の壁形成ユニットのＡ−Ａ線切断部断面図である。
【図３】図１の壁形成ユニットのＢ−Ｂ線切断部断面図である。
【図４】図１の壁形成ユニットを備えた家屋を示す断面図である。
【図５】図１の壁形成ユニットの運搬方法を説明するためのＢ−Ｂ線切断部断面図である。
【図６】図１の壁形成ユニットを備えた家屋の一部を示す断面図である。
【図７】図１の壁形成ユニット内の風の流れを説明するためのＣ−Ｃ線切断部断面図である。
【図８】本発明の壁形成ユニットの他の実施形態を示すＡ−Ａ線切断部断面図である。
【図９】本発明の壁形成ユニットの更に他の実施形態を示すＣ−Ｃ線切断部断面図である。
【図１０】本発明の壁形成ユニットの他の実施形態を示すＡ−Ａ線切断部断面図である。
【図１１】本発明の壁形成ユニットの他の実施形態を示す斜視図である。
【発明を実施するための形態】
【００２３】
次に、本発明の実施形態について、図面に基づいて詳細に説明する。図１〜図５において、符号１０は、本発明に係る壁形成ユニットを示す。図４において、符号１２は、本発明に係る家屋（建築構造物）を示す。
【００２４】
壁形成ユニット１０は、図４に示すように、家屋１２の基礎１４の上に立設され、家屋１２の断熱壁（壁）１６を形成する。壁形成ユニット１０は、図１〜図３に示すように、断熱材１８が内装された断熱パネル２０と、断熱パネル２０と平行に断熱パネル２０の一方の面２２側に固定された外装パネル２４と、断熱パネル２０と平行に断熱パネル２０の他方の面２５側に固定された内装パネル２６と、空気が断熱パネル２０の一方の面２２に沿って下から上へ通り抜け可能な中空部（第一通気経路）２８と、空気が断熱パネル２０の他方の面２５に沿って下から上へ通り抜け可能な第二通気経路３０と、を備える。家屋１２は、図４に示すように、基礎１４の上に壁形成ユニット１０を立設して構成されている。
【００２５】
（断熱パネル）
断熱パネル２０は、図１〜図３に示すように、上端に上横木３２を備え、下端に下横木３４を備える。上横木３２の端部３６及び下横木３４の端部３８には、図示しないＬ字金具により２本の縦木４０が固定されている（図１には１本の縦木４０のみを示す。）。上横木３２、下横木３４及び２本の縦木４０により、断熱パネル２０の枠部材４２が形成される。枠部材４２には、図示しない釘により木製のプレート４３が貼り付けられている。枠部材４２内において、プレート４３に発泡硬質ウレタンを吹き付け、吹き付けられた発泡硬質ウレタンが発泡することにより、断熱材１８が形成される。枠部材４２内に、既に発泡が行われて形成されている板状の発泡硬質ウレタンフォーム又はグラスウール板を嵌め込むことによって、断熱材１８を形成してもよい。断熱パネル２０は、枠部材４２を補強する補強部材を設けてもよい。断熱パネルの一方の面２２には、後述する外装パネル２４を固定するための２本の固定棒４４が図示しない釘によって固定されている。
【００２６】
（外装パネル）
外装パネル２４は、図１〜図３に示すように、正面板２１の両側端に側板２３が図示しない接着剤又は釘等により固定されて形成され、全体として平面視においてコの字形状となっている。正面板２１から側板２３に釘を打ち付けて側板２３を正面板２１に固定した場合、釘の頭部を目隠しする部材を正面板２１に張り付けてもよい。正面板２１と側板２３とは、異なる材質であっても同一の材質であってもよい。正面板２１及び側板２３は、樹脂、金属又は木材から構成される。側板２３を断熱パネル２０の一方の面２２に、正面板２１を２本の固定棒４４に、図示しない接着剤又は釘等によって固定することにより、外装パネル２４が断熱パネル２０に固定される。外装パネル２４から固定棒４４に釘を打ち付けて外装パネル２４を固定棒４４へ固定した場合、釘の頭部を目隠しする部材を外装パネル２４に張り付けてもよい。
【００２７】
（内装パネル）
図１〜図３に示すように、内装パネル２６は、基礎１４の上に固定する固定用横木４６を、下端に備えている。固定用横木４６には、図示しない縦孔が形成される。固定用横木４６は、基礎１４に立設されている複数の図示しない植込みボルトを縦孔に貫通し、ボルトに図示しないナットを上から螺合することよって、基礎１４の上に固定される。内装パネル２６の上端には、図５に示すチャック（保持具）１０２によって保持して持ち上げる保持用横木４８を備えている。図２に示すように、保持用横木４８の下端面５０は、上横木３２の上端面５２よりも上へ突出しており、保持用横木４８の下端面５０と上横木３２の上端面５２との間で隙間５３が形成されている。図５に示すチャック１０２の爪１０４の先端を隙間５３に挿入して壁形成ユニット１０を持ち上げることができる。また、図４に示す傾斜している屋根１２０の形状に対応して、保持用横木４８が上横木３２よりも上へ突出している。図１に示すように、固定用横木４６の端部７０及び保持用横木４８の端部７２には、図示しないＬ字金具により２本の縦木７４が固定されている（図１に１本の縦木７４のみを示す。）。固定用横木４６、保持用横木４８及び２本の縦木７４により、内装パネル２６の枠部材７８が形成される。枠部材７８の内側は中空部８０を有する。内装パネル２６の固定用横木４６の下面と断熱パネル２０の下横木３４の下面とは、床の上等に壁形成ユニット１０を鉛直に立てることができるように、面一に構成されている。
【００２８】
（第一通気経路）
図１〜図２に示すように、外装パネル２４及び断熱パネル２０によって中空部（第一通気経路）２８が形成される。中空部２８は、図２に示すように、下端開口部６４及び上端開口部６６を有し、下端開口部６４から入った空気が、上端開口部６６から上へ通り抜けることができる。
【００２９】
（第二通気経路）
図１〜図２に示すように、断熱パネル２０の２本の縦木４０に固定され横に延びる係合棒６８に、内装パネル２６の２本の縦木７４に固定された係合金具７６が係合されることにより、断熱パネル２０と内装パネル２６とが、隙間７９を介して固定される。隙間７９及び内装パネル２６の中空部８０によって第二通気経路３０が形成される。隙間７９の下端部から中空部８０に入った空気が隙間７９の上端部から上へ通り抜けることができる。
【００３０】
（凹部）
外装パネル２４は、図１及び図３に示すように、形成する家屋１２の屋外側の面５６の中央部に凹部５８を備えている。凹部５８の底面には、窓６０を備えている。窓６０は、図示しないロックを屋内１４２から解除し、外側へ又は内側へ回動して開くことのできる形式のものである。窓６０の周囲の窓枠８２は中空部２８内に突出する。図３に示すように、断熱パネル２０の中央部に、窓用孔６２が設けられ、形成する家屋１２の屋内から窓用孔６２を介して窓６０を開けることができる。窓用孔６２の周辺には枠部材６５が設けられ、枠部材６５は、上横木３２及び下横木３４に固定された２本の支持部材６７に、図示しないＬ字金具等によって固定されている。凹部５８には、植木鉢等を置く載置台８４が固定されている。載置台８４はアルミニュウム等の金属から構成される。
【００３１】
上述の構成の壁形成ユニット１０を用いて図４に示す家屋１２の断熱壁１６を形成する方法を以下に示す。特に示さない限り、時系列に沿って説明する。
【００３２】
（壁形成ユニットの搬出）
工場において、形成された壁形成ユニット１０は、床の上等に鉛直に立てられる。内装パネル２６の固定用横木４６の下面と断熱パネル２０の下横木３４の下面とが面一に構成されているため、内装パネル２６の固定用横木４６の下面及び断熱パネル２０の下横木３４の下面を基礎等に当接させて床の上等に鉛直に立てることができる。
【００３３】
図５に示すように、クレーンが備えるワイヤー１００（クレーンの本体は図示しない。）の先端に連結されたチャック１０２が、壁形成ユニット１０を挟持する。保持用横木４８の下端面５０と上横木３２の上端面５２との間で形成されている隙間５３に、チャック１０２の爪１０４の先端を挿入して、壁形成ユニット１０を持ち上げることができる。持ち上げた壁形成ユニット１０は、クレーンによってトラックに積まれる。必要な数量の壁形成ユニット１０がトラックに積まれて建築現場まで運搬される。尚、壁形成ユニット１０の寸法は、家屋の大きさ、形状等によって異なる。
【００３４】
（壁形成ユニットの搬入）
建築現場においては、予め、図４に示すような基礎１４が形成されている。また、床下１２２及び図示しない地中には、床下１２２と地中との間で放熱又は吸熱を行う熱伝達器具１２４が設けられている。また、床下１２２には、ポンプ等によって空気を第二通気経路３０へ送る図示しない空気循環器が設けられている。トラックに積まれている壁形成ユニット１０は、クレーンが備えるワイヤー１００の先端に連結されたチャック１０２により挟持される。搬出時と同様に、保持用横木４８の下端面５０と上横木３２の上端面５２との間で形成されている隙間５３に、チャック１０２の爪１０４の先端を挿入して、壁形成ユニット１０を持ち上げる。
【００３５】
（壁及び家屋の形成）
固定用横木４６に形成されている図示しない縦孔に、基礎１４に立設されている複数の図示しない植込みボルトを貫通し、植込みボルトに図示しないナットを上から螺合することよって、固定用横木４６が基礎１４の上に固定される。これにより、壁形成ユニット１０が基礎１４の上に立設される。複数の壁形成ユニット１０が、基礎１４の上に配置される。複数の壁形成ユニット１０同士は図示しない金具により固定される。この時、固定用横木４６と基礎１４との間は、通気可能なように、複数のパッキン１３０が図４の手前から奥に向かう方向に隙間を開けて配置される。断熱パネル２０と基礎１４との間は、空気が漏れないように、シール部材１３２が設けられる。家屋１２の角部（四隅）においては、２枚の壁形成ユニット１０が基礎１４の上に互いに直角に配列され図示しない釘等を用いて互いに固定される。基礎１４の上に立設された複数の壁形成ユニット１０の屋内側に内装プレート１２６が貼り付けられ、断熱壁１６が形成される。内装プレート１２６と内装パネル２６の保持用横木４８との間には、隙間１４６が設けられる。
【００３６】
次に、天井１４０及び屋根１２０が設けられる。天井１４０は、隙間１４６の下端に固定される。外装パネル２４の上端開口部６６の屋外側端部は、上端開口部６６から空気が屋外へ逃げないように、屋根１２０の裏側に密着され、又はシールが施される。内装パネル２６の保持用横木４８と屋根１２０の裏面との間には、隙間１２８が設けられる。断熱パネル２０の上横木３２の上面に、隙間５３を通して中空部８０から屋根１２０の裏側に空気が漏れないように、シール１３４が設けられる。棟瓦１３６の下部には、屋根１２０の裏側の空気を排出できる通気孔１３８が設けられる。天井１４０には、天井１４０の裏から屋内１４２に通じる通気孔１４４が設けられる。内装パネル２６の中央部においては、図６に示すように、窓用孔６２の周辺の枠部材６５に連続する枠部材１６０が設置される。家屋１２の形成方法に関して、上述以外の方法は、従来の家屋形成方法と同様である。
【００３７】
（壁形成ユニットの作用及び効果）
本発明の壁形成ユニット１０によれば、工場において製造し、建築現場まで運搬し、建築現場に既に形成されている基礎１４に固定用横木４６を植込みボルト及びナットで固定することにより、基礎１４の上に立設し、断熱壁１６を形成することができる。このため、建築現場において断熱材の原材料を吹き付ける等の作業を行うことなく、断熱材を備えた断熱壁を形成できる。これにより、建築現場における施工作業を迅速に行うことができ、建築現場における作業コストを低減できる。
【００３８】
また、本発明の壁形成ユニット１０を基礎１４の上に立設することにより、断熱パネル２０の一方の面２２に中空部（第一通気経路）２８を有し断熱パネル２０の他方の面２５に第二通気経路３０を有する断熱壁１６を容易且つ迅速に形成できる。
【００３９】
また、内装パネル２６の保持用横木４８の下端面５０と断熱パネル２０の上端面５２との隙間５３にチャック１０２の爪１０４の先端を挿入して内装パネル２６の保持用横木４８を挟持することができる。このため、チャック１０２が連結されたクレーンで容易に持ち上げることができる。
【００４０】
（形成した家屋の作用及び効果）
家屋１２の外の風は地面に当たる等して、上斜め方向にも流れる。上斜め方向に流れる風は、図４に示すように、外装パネル２４の中空部２８の下端開口部６４から中空部２８に入り、中空部２８内を上昇し、上端開口部６６から屋根１２０の裏へ抜け、屋根１２０の裏を流れて通気孔１３８から排出される。このため、夏場は、屋外から屋内に伝わろうとする熱が中空部２８内の空気に吸収されて屋外へ排出され、冬場は、屋外の冷気によって冷やされた中空部２８内の空気が屋外へ排出される。これにより、屋外と屋内との間での断熱効果を高めることができる。
【００４１】
さらに、床下１２２の空気循環器を作動させることにより、床下１２２の空気が、内装パネル２６と断熱パネル２０との隙間７９の下端を通り、内装パネル２６の中空部８０内を上昇し、隙間１４６を通り天井１４０の上へ流れ、天井１４０の上から通気孔１４４を通って、屋内１４２に流れる。地中の温度は１年中１４℃〜２０℃で略一定である。夏場は地中の温度が大気の温度よりも低い。このため、夏場は、床下１２２の熱が熱伝達器具１２４を介して地中へ放熱される。冬場は地中の温度が大気の温度よりも高い。このため、地中の熱が熱伝達器具１２４を介して床下１２２へ流れる。これにより、床下１２２の空気の温度を略一定に維持できる。このため、床下１２２の空気を、中空部８０等を介して屋内１４２へ取り込むことにより、屋内１４２を略一定温度に保つことができる。このため、冷暖房装置のエネルギーコストを低減できる。
【００４２】
また、外装パネル２４の屋外側の面５６の中央部に凹部５８を備え、凹部５８に載置台８４を備えるため、載置台８４に花を植えた鉢や装飾物を置くことができる。このため、家屋１２の美観を向上させ、商品価値を高めることができる。
【００４３】
また、凹部５８の底面に窓６０を備え、窓６０の周囲の窓枠８２は中空部（第一通気経路）２８内に突出する。図７に示すように、下端開口部６４から中空部２８に入り、中空部２８内で下から上へ通る空気が、窓枠８２の周囲に接触しながら通過する。このため、夏場において、金属から構成され加熱されやすい窓枠８２及び載置台８４に直射日光が当たっても、窓枠８２の熱が中空部２８内の空気に伝達され、載置台８４の熱は窓枠８２を介して中空部２８内の空気に伝達され、熱を伝達された空気は上へ通り抜ける。これにより、窓枠８２の温度上昇を防止できる。これにより、窓枠８２に手が触れても熱く感じることがなく、屋内における窓枠８２の近辺の温度上昇を防止できる。
【００４４】
以上、本発明の一実施形態について説明したが、本発明は上述の実施形態のみに限定されない。例えば、壁形成ユニット１０において、図８に示すように、外装パネル２４の下端開口部６４の下に、屋外の風を中空部２８内へ誘導するガイド１５０を備えても良い。図８に示す壁形成ユニット１０は、ガイド１５０を備えること以外は、図１に示す壁形成ユニット１０と同じ構成であり、図１に示す壁形成ユニット１０と同じ効果が生じる。さらに、図８に示す壁形成ユニット１０は、上斜め方向に流れる風だけでなく、地面と平行に流れる風も、ガイド１５０に誘導されて下端開口部６４から中空部２８へ入り込む。このため、より多くの空気が中空部２８内を通り抜け、屋外と屋内との断熱効果をより高めることができる。
【００４５】
また、壁形成ユニット１０において、図９に示すように、窓枠８２の一部とともに流線形状を構成する流線形ガイド１５２及び流線形ガイド１５４を備えてもよい。図９に示す壁形成ユニット１０は、流線形ガイド１５２及び流線形ガイド１５４を備えること以外は、図１に示す壁形成ユニット１０と同じ構成であり、図１に示す壁形成ユニット１０と同じ効果が生じる。さらに、図９に示す壁形成ユニット１０は、下端開口部６４から中空部２８内に入った空気が流線形状に沿って上へ流れやすくなる。このため、より多くの空気がより早く中空部２８内を通り抜け、屋外と屋内との断熱効果をより高めることができる。
【００４６】
また、壁形成ユニット１０において、図１０に示すように、内装パネル２６の保持用横木４８の下面１５６を斜面としてもよい。図１０に示す壁形成ユニット１０は、保持用横木４８の下面１５６を斜面としたこと以外は、図１に示す壁形成ユニット１０と同じ構成であり、図１に示す壁形成ユニット１０と同じ効果が生じる。さらに、図１０に示す壁形成ユニット１０は、図４に示すような家屋１２を形成した時に、中空部８０から天井１４０の裏へ下面１５６に沿って空気が抜けやすくなる。床下１２２の空気循環器を作動させた時に、床下１２２の空気を、中空部８０や天井１４０の裏等を介して屋内１４２へ効率よく取り込み、屋内１４２を略一定温度に保つ効果がより顕著になる。
【００４７】
また、壁形成ユニット１０において、図１１に示すように、内装パネル２６の保持用横木４８に複数の螺子穴１５８を設けてもよい。図１１に示す壁形成ユニット１０は、保持用横木４８に複数の螺子穴１５８を設けたこと以外は、図１に示す壁形成ユニット１０と同じ構成であり、図１に示す壁形成ユニット１０と同じ効果が生じる。さらに、図１１に示す壁形成ユニット１０は、図５に示す方法で持ち上げることができるだけでなく、螺子穴１５８にボルト（図示しない。）を螺入し、ボルトにワイヤーを引っ掛けてクレーンで持ち上げることができる。このため、工場や現場の状況に応じて持ち上げ方法を選択できる。
【００４８】
以上、本発明の実施形態について図面に基づいて説明したが、本発明は図示した実施形態に限定されない。例えば、凹部５８は四角形状に限定されず、円形状や楕円形状であってもよい。また、下横木３４が植込みボルト等によって基礎１４に固定する固定用横木であってもよい。また、下横木３４がチャック等によって保持する保持用横木であってもよい。
【産業上の利用可能性】
【００４９】
本発明の壁形成ユニットによれば、工場において製造し、建築現場まで運搬し、建築現場に既に形成されている基礎に固定用横木を金具等で固定することにより、基礎の上に立設し、建築構造物の断熱壁を形成することができる。このため、断熱壁を有する建築構造物の形成のために広く利用できる。
【符号の説明】
【００５０】
１０：壁形成ユニット
１２：家屋
１４：基礎
１６：断熱壁（壁）
１８：断熱材
２０：断熱パネル
２２：一方の面
２４：外装パネル
２５：他方の面
２６：内装パネル
２８：中空部（第一通気経路）
３０：第二通気経路
４６：固定用横木
４８：保持用横木
５３：隙間
５８：凹部
６０：窓
６２：窓用孔
６４：下端開口部
６６：上端開口部
８０：中空部
１００：ワイヤー
１０２：チャック
１０４：爪
【図１】
0006347803.tif 000002
【図２】
0006347803.tif 000003
【図３】
0006347803.tif 000004
【図４】
0006347803.tif 000005
【図５】
0006347803.tif 000006
【図６】
0006347803.tif 000007
【図７】
0006347803.tif 000008
【図８】
0006347803.tif 000009
【図９】
0006347803.tif 000010
【図１０】
0006347803.tif 000011
【図１１】
0006347803.tif 000012